(57)【要約】  本発明は、ワイヤレスネットワークにおける通信容量を増加するように構成された方法およびワイヤレス通信装置に関する。本発明の一態様において、データパケット（４６）の送信に対する様々なスケジューリングプロセスおよびスケジューラ（４０）が開示される。本発明の別の態様において、異なるタイプのワイヤレス送受信ユニット（ＷＵＲＵｓ）に対してワイヤレスサービスを提供する共通ユニットが通知するための適切な送信速度の選択を取り扱う。
2007511958.tif 000002
【特許請求の範囲】
【請求項１】
複数の他のワイヤレス送受信ユニット（ＷＴＲＵｓ）とワイヤレス通信を行うワイヤレス送受信ユニットであって、該他のワイヤレス送受信ユニットへのワイヤレス通信データの送信を制御するためのプロセスを実装するワイヤレス送受信ユニットにおいて、
前記他のワイヤレス送受信ユニットへ送信するためのデータパケットを送信速度に基づいて待機させるように構成され、および、待機データパケットの送信を送信速度割り当て待ち行列から連続した順番で、各待機順序について配分した時間に基づいて選択的に可能にするように構成されたスケジューラであって、最低データ速度の待ち行列内に待機させられたデータパケットに最短時間が配分され、および、最高データ速度の待ち行列内に待機させられたデータパケットに最長時間が配分されるようにするスケジューラを備えることを特徴とするワイヤレス送受信ユニット。
【請求項２】
前記スケジューラは、所与の待ち行列に割り当てられるデータ速度よりも低いデータ速度の送信に指定されたデータパケットに割り当てられる各待ち行列に配分される時間と少なくとも同じ長さの時間を、前記所与の待ち行列に配分するように構成されることを特徴とする請求項１に記載の発明。
【請求項３】
前記ワイヤレス送受信ユニットは、８０２．１１のワイヤレスローカルエリアネットワーク（ＷＬＡＮ）に対するアクセスポイント（ＡＰ）として構成されることを特徴とする請求項１に記載の発明。
【請求項４】
複数の他のワイヤレス送受信ユニット（ＷＴＲＵｓ）とワイヤレス通信を行うワイヤレス送受信ユニットであって、該他のワイヤレス送受信ユニットとのワイヤレス通信データの通信を制御するためのプロセスを実装するワイヤレス送受信ユニットにおいて、
最低データ速度で通信されるデータパケットに最短時間が配分され、および、最高データ速度で通信されるデータパケットに最長時間が配分されるように、他のワイヤレス送受信ユニットとのデータパケットの通信を、連続した順番で、各順番について配分した時間に基づいて選択的に可能にするように構成されるスケジューラを備えることを特徴とするワイヤレス送受信ユニット。
【請求項５】
前記スケジューラは、他のワイヤレス送受信ユニットからのデータパケットを受信するための時間を配分するように構成され、その時間の配分は、他のワイヤレス送受信ユニットのそれぞれが、その各順番に対してそのワイヤレス送受信ユニットがデータパケットを送信する送信速度に基づいて送信時間を提供されるように行い、その送信時間は、そのワイヤレス送受信ユニットがデータパケットを送信する送信速度よりも低いデータ速度での送信に指定されたデータパケットに配分した時間と少なくとも同じ長さであることを特徴とする請求項４に記載の発明。
【請求項６】
前記スケジューラは、前記他のワイヤレス送受信ユニットへ送信するためのデータパケットを送信速度に基づいて待機させるように構成され、および、待機データパケットの送信を送信速度割り当て待ち行列から連続した順番で、各待機順序について配分した時間に基づいて選択的に可能にするように構成されており、最低データ速度の待ち行列内に待機させられたデータパケットに最短時間が配分されるように、および、最高データ速度の待ち行列内に待機させられたデータパケットに最長時間が配分されるようにすることを特徴とする請求項５に記載の発明。
【請求項７】
前記スケジューラは、所与の待ち行列に割り当てられるデータ速度よりも低いデータ速度の送信に指定されたデータパケットに割り当てられる各待ち行列に配分される時間と少なくとも同じ長さの時間を、前記所与の待ち行列に配分するように構成されることを特徴とする請求項６に記載の発明。
【請求項８】
前記ワイヤレス送受信ユニットは、８０２．１１のワイヤレスローカルエリアネットワーク（ＷＬＡＮ）に対するアクセスポイント（ＡＰ）として構成され、前記スケジューラは特定用途向け集積回路（ＡＳＩＣ）に実装されることを特徴とする請求項７に記載の発明。
【請求項９】
ワイヤレス送受信ユニット（ＷＴＲＵ）と複数の他のワイヤレス送受信ユニットとの間のデータのワイヤレス通信を行い、および、該他のワイヤレス送受信ユニットへの通信データの送信を制御する方法であって、
他のワイヤレス送受信ユニットへ送信するためのデータパケットを送信速度に基づいて待機させること；並びに、
待機データパケットの送信を送信速度割り当て待ち行列から連続した順番で、各待機順序について配分した時間に基づいて選択的に可能にするようにして、最低データ速度の待ち行列内に待機させられたデータパケットに最短時間が配分されるように、および、最高データ速度の待ち行列内に待機させられたデータパケットに最長時間が配分されるようにすること
を含むことを特徴とする方法。
【請求項１０】
所与の待ち行列に割り当てられるデータ速度よりも低いデータ速度の送信に指定されたデータパケットに割り当てられる各待ち行列に配分される時間と少なくとも同じ長さの時間が、前記所与の待ち行列に配分されることを特徴とする請求項９に記載の方法。
【請求項１１】
８０２．１１のワイヤレスローカルエリアネットワーク（ＷＬＡＮ）に対するアクセスポイント（ＡＰ）として構成されるワイヤレス送受信ユニットによって行われることを特徴とする請求項９に記載の方法。
【請求項１２】
ワイヤレス送受信ユニット（ＷＴＲＵ）と複数の他のワイヤレス送受信ユニットとの間のデータのワイヤレス通信を行う方法であって、前記他のワイヤレス送受信ユニットとのワイヤレス通信データの通信を制御するためのプロセスを実装する方法において、
最低データ速度で通信されるデータパケットに最短時間が配分され、および、最高データ速度で通信されるデータパケットに最長時間が配分されるように、データパケットの他のワイヤレス送受信ユニットとの通信を、連続した順番で、各順番について配分した時間に基づいて選択的に可能にすることを含むことを特徴とする方法。
【請求項１３】
他のワイヤレス送受信ユニットからのデータパケットを受信するために時間が配分され、前記時間の配分は、他のワイヤレス送受信ユニットのそれぞれに対してその各順番にそのワイヤレス送受信ユニットがデータパケットを送信する送信速度に基づいた送信時間を提供するように行われ、その送信時間は、そのワイヤレス送受信ユニットがデータパケットを送信する速度よりも低いデータ速度での送信に指定されたデータパケットに配分した時間と少なくとも同じ長さであることを特徴とする請求項１２に記載の方法。
【請求項１４】
前記他のワイヤレス送受信ユニットへ送信するためのデータパケットが送信速度に基づいて待機させられ、並びに、待機データパケットの送信が送信速度割り当て待ち行列から連続した順番で、各待機順序について配分した時間に基づいて選択的に可能にされて、最低データ速度の待ち行列内に待機させられたデータパケットに最短時間が配分されるように、および、最高データ速度の待ち行列内に待機させられたデータパケットに最長時間が配分されるようにすることを特徴とする請求項１３に記載の方法。
【請求項１５】
所与の待ち行列に割り当てられるデータ速度よりも低いデータ速度の送信に指定されたデータパケットに割り当てられる各待ち行列に配分される時間と少なくとも同じ長さの時間が、前記所与の待ち行列に配分されることを特徴とする請求項１４に記載の方法。
【請求項１６】
８０２．１１のワイヤレスローカルエリアネットワーク（ＷＬＡＮ）に対するアクセスポイント（ＡＰ）として構成されるワイヤレス送受信ユニットによって行われることを特徴とする請求項１５に記載の方法。
【請求項１７】
複数の他のワイヤレス送受信ユニット（ＷＴＲＵｓ）とワイヤレス通信を行うワイヤレス送受信ユニットであって、該他のワイヤレス送受信ユニットへのワイヤレス通信データの送信を制御するためのプロセスを実装するワイヤレス送受信ユニットにおいて、
データパケットを、他のワイヤレス送受信ユニットへの送信のため、選択された基準に基づいて待機させるように構成されたスケジューラであって、該基準が、待ち行列到着時刻を各待機データパケットに結びつけ、それによって、データパケットが待機している各待ち行列内で、同一待ち行列内の他のデータパケットに結びつけられた待ち行列到着時刻と比較して最も早い待ち行列到着時刻と結び付けられたデータパケットを、該待ち行列の先頭に配置するものを備え；
前記スケジューラは、送信処理のためのデータパケットを、前記待ち行列のうちの１つの前記先頭に同時に配置された各データパケットについて計算された優先度指標に基づいて前記待ち行列のうちの１つの前記先頭から取り除くことによって、待機データパケットの送信を選択的に可能にするように構成されており、データパケットの前記優先度指標を、該データパケットに結びつけられた前記待ち行列到着時刻および該データパケットに関連付けられたデータ送信速度を使用して計算するように構成されている
ことを特徴とするワイヤレス送受信ユニット。
【請求項１８】
前記スケジューラは、各データパケットに結びつけられたデータ送信速度に基づいてデータパケットを待機させるように構成され、データパケット待ち行列が種々のデータ速度について定義されることを特徴とする請求項１７に記載の発明。
【請求項１９】
前記ワイヤレス送受信ユニットは、各サービスクラスがデータ送信速度と結び付けられたデータ送信用のサービスクラスを有する８０２．１１のワイヤレスローカルエリアネットワーク（ＷＬＡＮ）に対するアクセスポイント（ＡＰ）として構成され、および、前記スケジューラは、各データパケットに結びつけられたサービスクラスに基づいてデータパケットを待機させるように構成され、データパケット待ち行列が各サービスクラスについて定義されることを特徴とする請求項１８に記載の発明。
【請求項２０】
前記スケジューラは、各データパケットに結びつけられた宛先ワイヤレス送受信ユニットに基づいてデータパケットを待機させるように構成され、データパケット待ち行列が種々の宛先ワイヤレス送受信ユニットのそれぞれについて定義されることを特徴とする請求項１７に記載の発明。
【請求項２１】
前記ワイヤレス送受信ユニットは８０２．１１のワイヤレスローカルエリアネットワーク（ＷＬＡＮ）に対するアクセスポイント（ＡＰ）として構成され、前記スケジューラは特定用途向け集積回路（ＡＳＩＣ）に実装されることを特徴とする請求項２０に記載の発明。
【請求項２２】
複数の他のワイヤレス送受信ユニット（ＷＴＲＵｓ）とワイヤレス通信を行うワイヤレス送受信ユニットであって、該他のワイヤレス送受信ユニットへのワイヤレス通信データの送信を制御するためのプロセスを実装するワイヤレス送受信ユニットにおいて、
選択されたデータパケット特性に基づいて選択的に定義されたデータパケット送信待ち行列で構成されたメモリデバイス；並びに、
待ち行列到着時刻を、送信のため待機させるために受信した連続するデータパケットに関連付けるように、および、各データパケットを、前記選択されたデータパケット特性に基づいてその待ち行列到着時刻と関連付けて各待ち行列に格納するように構成されたプロセッサであって、それによって、データパケットが待機している各待ち行列内で、同一待ち行列内の他のデータパケットに結びつけられた待ち行列到着時刻と比較して最も早い待ち行列到着時刻と結び付けられたデータパケットを、該待ち行列の先頭に配置するプロセッサを備え；
該プロセッサは、送信処理のためのデータパケットを、前記待ち行列のうちの１つの前記先頭に同時に配置された各データパケットについて計算された優先度指標に基づいて前記待ち行列のうちの１つの前記先頭から取り除くことによって、待機データパケットの送信を選択的に可能にするように構成されており、データパケットの前記優先度指標を、該データパケットに結びつけられた前記待ち行列到着時刻および該データパケットに関連付けられたデータ送信速度を使用して計算するように構成されている
ことを特徴とするワイヤレス送受信ユニット。
【請求項２３】
前記メモリデバイスはデータパケット待ち行列が種々のデータ速度について定義されるように構成され、および、前記プロセッサは、データパケットを前記メモリデバイス内に定義された各待ち行列に、各データパケットに結びつけられたデータ送信速度に基づいて格納するように構成されることを特徴とする請求項２２に記載の発明。
【請求項２４】
前記ワイヤレス送受信ユニットは、各サービスクラスがデータ送信速度と結び付けられたデータ送信用のサービスクラスを有する８０２．１１のワイヤレスローカルエリアネットワーク（ＷＬＡＮ）に対するアクセスポイント（ＡＰ）として構成され、および、前記プロセッサは、各データパケットに結びつけられたサービスクラスに基づいてデータパケットを待機させるように構成され、データパケット待ち行列がメモリデバイス内の各サービスクラスについて定義されることを特徴とする請求項２３に記載の発明。
【請求項２５】
前記メモリデバイスはデータパケット待ち行列が種々の宛先ワイヤレス送受信ユニットについて定義されるように構成され、および、前記プロセッサは、データパケットを前記メモリデバイス内に定義された各待ち行列に、各データパケットに結びつけられた宛先ワイヤレス送受信ユニットに基づいて格納するように構成されることを特徴とする請求項２２に記載の発明。
【請求項２６】
前記ワイヤレス送受信ユニットは、８０２．１１のワイヤレスローカルエリアネットワーク（ＷＬＡＮ）に対するアクセスポイント（ＡＰ）として構成されることを特徴とする請求項２５に記載の発明。
【請求項２７】
ワイヤレス送受信ユニット（ＷＴＲＵ）が複数の他のワイヤレス送受信ユニット（ＷＴＲＵｓ）とワイヤレス通信を行うための方法であって、該ワイヤレス送受信ユニットが、該他のワイヤレス送受信ユニットへのワイヤレス通信データの送信を制御するためのプロセスを実装する方法において、
データパケットを、選択された基準に基づいて他のワイヤレス送受信ユニットへの送信のために待機させることであって、該基準が、待ち行列到着時刻を各待機データパケットに結びつけ、それによって、データパケットが待機している各待ち行列内で、同一待ち行列内の他のデータパケットに結びつけられた待ち行列到着時刻と比較して最も早い待ち行列到着時刻と結び付けられたデータパケットを、該待ち行列の先頭に配置すること；および、
送信処理のためのデータパケットを、前記待ち行列のうちの１つの前記先頭に同時に配置された各データパケットについて計算された優先度指標に基づいて前記待ち行列のうちの１つの前記先頭から取り除くことによって、待機データパケットの送信を選択的に可能にすることであって、データパケットの前記優先度指標の計算に、該データパケットに結びつけられた前記待ち行列到着時刻および該データパケットに関連付けられたデータ送信速度を使用すること
を含むことを特徴とする方法。
【請求項２８】
データパケットは各データパケットに結びつけられたデータ送信速度に基づいて待機させられ、データパケット待ち行列が種々のデータ速度について定義されることを特徴とする請求項２７に記載の方法。
【請求項２９】
各サービスクラスがデータ送信速度に結びつけられたデータ送信用のサービスクラスを有する８０２．１１のワイヤレスローカルエリアネットワーク（ＷＬＡＮ）に対するアクセスポイント（ＡＰ）によりステップが実行されて、データパケットは各データパケットに結びつけられたサービスクラスに基づいて待機させられ、データパケット待ち行列が各サービスクラスについて定義されることを特徴とする請求項２８に記載の方法。
【請求項３０】
データパケットは各データパケットに結びつけられた宛先ワイヤレス送受信ユニットに基づいて待機させられ、データパケット待ち行列が種々の宛先ワイヤレス送受信ユニットのそれぞれについて定義されることを特徴とする請求項２７に記載の方法。
【請求項３１】
前記ステップは、８０２．１１のワイヤレスローカルエリアネットワーク（ＷＬＡＮ）に対するアクセスポイント（ＡＰ）によって実行されることを特徴とする請求項３０に記載の方法。
【請求項３２】
ワイヤレス送受信ユニット（ＷＴＲＵ）が複数の他のワイヤレス送受信ユニットとワイヤレス通信を行う方法であって、該ワイヤレス送受信ユニットは該他のワイヤレス送受信ユニットへ利用可能なワイヤレス通信データ速度を通知するためのプロセスを実装し、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、該第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含む方法において、
前記速度通知ワイヤレス送受信ユニットとワイヤレスに通信する前記第１タイプのワイヤレス送受信ユニットの数ｍおよび前記第２タイプのワイヤレス送受信ユニットの数ｎを判定すること；
前記速度通知ワイヤレス送受信ユニットと、それが通信している前記第１および第２タイプのワイヤレス送受信ユニットとの間の無線リンクの品質を判定すること；および、
ｍ＝０のとき、または判定された前記無線リンクの品質が望ましいレベルにあってｎ＝０のとき、前記第２の定義されたデータ速度集合のサポートを通知すること
を含むことを特徴とする方法。
【請求項３３】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項３２に記載の方法。
【請求項３４】
前記無線リンクの品質を判定することは、フレーム誤り率（ＦＥＲ）が所定の閾値を下回るとき、望ましいレベルのリンク品質が判定されるよう、該ＦＥＲを判定することを含むことを特徴とする請求項３３に記載の方法。
【請求項３５】
ワイヤレス送受信ユニット（ＷＴＲＵ）が複数の他のワイヤレス送受信ユニットとワイヤレス通信を行う方法であって、該ワイヤレス送受信ユニットは該他のワイヤレス送受信ユニットへ利用可能なワイヤレス通信データ速度を通知するためのプロセスを実装し、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、該第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含む方法において、
前記速度通知ワイヤレス送受信ユニットとワイヤレスに通信する前記第１タイプのワイヤレス送受信ユニットの数ｍおよび前記第２タイプのワイヤレス送受信ユニットの数ｎを判定すること；
前記速度通知ワイヤレス送受信ユニットと、それが通信している前記第１および第２タイプのワイヤレス送受信ユニットとの間の無線リンクの品質を判定すること；および、
ｍ≠０、ｎ≠０かつ前記第１タイプのワイヤレス送受信ユニットによって利用できない第２タイプのデータ速度で前記第２タイプのワイヤレス送受信ユニット全てが前記速度通知ワイヤレス送受信ユニットと通信しているとき、前記第２の定義されたデータ速度集合のサポートを通知すること
を含むことを特徴とする方法。
【請求項３６】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項３５に記載の方法。
【請求項３７】
前記第２の定義されたデータ速度集合のサポートを通知することは、前記ＡＰと通信している前記第２タイプのワイヤレス送受信ユニット全てが、１１Ｍｂｐｓより大きいデータ速度で通信しているとき、実行されることを特徴とする請求項３６に記載の方法。
【請求項３８】
ワイヤレス送受信ユニット（ＷＴＲＵ）が複数の他のワイヤレス送受信ユニットとワイヤレス通信を行う方法であって、該ワイヤレス送受信ユニットは該他のワイヤレス送受信ユニットへ利用可能なワイヤレス通信データ速度を通知するためのプロセスを実装し、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、該第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含む方法において、
前記速度通知ワイヤレス送受信ユニットとワイヤレスに通信する前記第１タイプのワイヤレス送受信ユニットの数ｍおよび前記第２タイプのワイヤレス送受信ユニットの数ｎを判定すること；
前記速度通知ワイヤレス送受信ユニットと、それが通信している前記第１および第２タイプのワイヤレス送受信ユニットとの間の無線リンクの品質を判定すること；および、
ｍ≠０、前記第２タイプのワイヤレス送受信ユニットの少なくとも１つが前記速度通知ワイヤレス送受信ユニットと第１タイプのデータ速度で通信しており、かつ、ｍ／ｎが所定のワイヤレス送受信ユニット比率閾値以上のとき、前記第２の定義されたデータ速度集合のサポートを通知すること
を含むことを特徴とする方法。
【請求項３９】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項３８に記載の方法。
【請求項４０】
ワイヤレス送受信ユニット（ＷＴＲＵ）が複数の他のワイヤレス送受信ユニットとワイヤレス通信を行う方法であって、該ワイヤレス送受信ユニットは該他のワイヤレス送受信ユニットへ利用可能なワイヤレス通信データ速度を通知するためのプロセスを実装し、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、該第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含む方法において、
前記速度通知ワイヤレス送受信ユニットとワイヤレスに通信する前記第１タイプのワイヤレス送受信ユニットの数ｍおよび前記第２タイプのワイヤレス送受信ユニットの数ｎを判定すること；
前記速度通知ワイヤレス送受信ユニットと、それが通信している前記第１および第２タイプのワイヤレス送受信ユニットとの間の無線リンクの品質を判定すること；および、
ｍ≠０、前記第２タイプのワイヤレス送受信ユニットの少なくとも１つが前記速度通知ワイヤレス送受信ユニットと第１タイプのデータ速度で通信しており、かつ、ｍ／ｎが所定のワイヤレス送受信ユニット比率閾値より小さいとき、前記第２タイプのデータ速度でなく前記第１タイプのデータ速度のサポートを通知すること
を含むことを特徴とする方法。
【請求項４１】
前記第２タイプのデータ速度でなく前記第１タイプのデータ速度のサポートを通知することは、前記第１の定義されたデータ速度集合のサポートを通知することを含み、未通知の速度での通信は前記速度通知ワイヤレス送受信ユニット内で無効にすることを特徴とする請求項４０に記載の方法。
【請求項４２】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項４１に記載の方法。
【請求項４３】
ｍ≠０、前記第２タイプのワイヤレス送受信ユニットの少なくとも１つが前記速度通知ワイヤレス送受信ユニットと第１タイプのデータ速度で通信しており、かつ、ｍ／ｎが所定のワイヤレス送受信ユニット比率閾値以上のとき、前記第２の定義されたデータ速度集合のサポートを通知することをさらに含むことを特徴とする請求項４１に記載の方法。
【請求項４４】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項４３に記載の方法。
【請求項４５】
ｍ≠０、ｎ≠０、かつ前記第１タイプのワイヤレス送受信ユニットによって利用できない第２タイプのデータ速度で前記第２タイプのワイヤレス送受信ユニット全てが前記速度通知ワイヤレス送受信ユニットと通信しているとき、前記第２の定義されたデータ速度集合のサポートを通知することをさらに含むことを特徴とする請求項４３に記載の方法。
【請求項４６】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項４５に記載の方法。
【請求項４７】
前記第２の定義されたデータ速度集合のサポートを通知することは、前記ＡＰと通信している前記第２タイプのワイヤレス送受信ユニット全てが１１Ｍｂｐｓより大きいデータ速度で通信しているとき、実行されることを特徴とする請求項４６に記載の方法。
【請求項４８】
ｍ＝０のとき、または判定された前記無線リンクの品質が望ましいレベルにあってｎ＝０のとき、前記第２の定義されたデータ速度集合のサポートを通知することをさらに含むことを特徴とする請求項４５に記載の方法。
【請求項４９】
１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって前記ステップが実行され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は、１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項４６に記載の方法。
【請求項５０】
前記無線リンクの品質を判定することは、フレーム誤り率（ＦＥＲ）が所定のＦＥＲ閾値を下回るとき、望ましいレベルのリンク品質が判定されるように、前記ＦＥＲを判定することを含み、前記第２の定義されたデータ速度集合のサポートを通知することは、前記ＡＰと通信している前記第２タイプのワイヤレス送受信ユニット全てが１１Ｍｂｐｓより大きいデータ速度で通信しているとき、実行されることを特徴とする請求項４９に記載の方法。
【請求項５１】
複数の他のワイヤレス送受信ユニット（ＷＴＲＵｓ）とのワイヤレス通信を行うワイヤレス送受信ユニットであって、該他のワイヤレス送受信ユニットへ利用可能なワイヤレス通信データ速度を通知するように構成されたワイヤレス送受信ユニットにおいて、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、前記第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含むワイヤレス送受信ユニットにおいて、
本速度通知ワイヤレス送受信ユニットとワイヤレスに通信する前記第１タイプのワイヤレス送受信ユニットの数ｍおよび前記第２タイプのワイヤレス送受信ユニットの数ｎを判定するように構成された受信ユニット；
本速度通知ワイヤレス送受信ユニットと、それが通信している前記第１および第２タイプのワイヤレス送受信ユニットとの間の無線リンクの品質を判定するように構成された信号処理ユニット；および、
ｍ＝０のとき、または判定された前記無線リンクの品質が望ましいレベルにあってｎ＝０のとき、前記第２の定義されたデータ速度集合のサポートを通知するように構成された送信ユニット
を備えることを特徴とするワイヤレス送受信ユニット。
【請求項５２】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および前記第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項５１に記載のワイヤレス送受信ユニット。
【請求項５３】
前記信号処理ユニットは、フレーム誤り率（ＦＥＲ）が所定の閾値を下回るとき、望ましいレベルのリンク品質が判定されるように前記ＦＥＲを判定することによって、前記無線リンクの品質を判定するように構成されることを特徴とする請求項５２に記載のワイヤレス送受信ユニット。
【請求項５４】
複数の他のワイヤレス送受信ユニット（ＷＴＲＵｓ）とのワイヤレス通信を行うワイヤレス送受信ユニットであって、該他のワイヤレス送受信ユニットへ利用可能なワイヤレス通信データ速度を通知するように構成されたワイヤレス送受信ユニットにおいて、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、前記第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含むワイヤレス送受信ユニットにおいて、
本速度通知ワイヤレス送受信ユニットとワイヤレスに通信する前記第１タイプのワイヤレス送受信ユニットの数ｍおよび前記第２タイプのワイヤレス送受信ユニットの数ｎを判定するように構成された受信ユニット；
本速度通知ワイヤレス送受信ユニットと、それが通信している前記第１および第２タイプのワイヤレス送受信ユニットとの間の無線リンクの品質を判定するように構成された信号処理ユニット；および、
ｍ≠０、ｎ≠０、かつ前記第１タイプのワイヤレス送受信ユニットによって利用できない第２タイプのデータ速度で前記第２タイプのワイヤレス送受信ユニット全てが本速度通知ワイヤレス送受信ユニットと通信しているとき、前記第２の定義されたデータ速度集合のサポートを通知するように構成された送信ユニット
を備えることを特徴とするワイヤレス送受信ユニット。
【請求項５５】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項５４に記載のワイヤレス送受信ユニット。
【請求項５６】
前記送信ユニットは、本ワイヤレス送受信ユニットと通信している前記第２タイプのワイヤレス送受信ユニット全てが１１Ｍｂｐｓより大きいデータ速度で通信しているとき、前記第２の定義されたデータ速度集合のサポートを通知するように構成されることを特徴とする請求項５５に記載のワイヤレス送受信ユニット。
【請求項５７】
複数の他のワイヤレス送受信ユニット（ＷＴＲＵｓ）とのワイヤレス通信を行うワイヤレス送受信ユニットであって、該他のワイヤレス送受信ユニットへ利用可能なワイヤレス通信データ速度を通知するように構成されたワイヤレス送受信ユニットにおいて、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、前記第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含むワイヤレス送受信ユニットにおいて、
本速度通知ワイヤレス送受信ユニットとワイヤレスに通信する前記第１タイプのワイヤレス送受信ユニットの数ｍおよび前記第２タイプのワイヤレス送受信ユニットの数ｎを判定するように構成された受信ユニット；
本速度通知ワイヤレス送受信ユニットと、それが通信している前記第１および第２タイプのワイヤレス送受信ユニットとの間の無線リンクの品質を判定するように構成された信号処理ユニット；および、
ｍ≠０、前記第２タイプのワイヤレス送受信ユニットの少なくとも１つが本速度通知ワイヤレス送受信ユニットと第１タイプのデータ速度で通信しており、かつ、ｍ／ｎが所定のワイヤレス送受信ユニット比率閾値以上のとき、前記第２の定義されたデータ速度集合のサポートを通知するように構成された送信ユニット
を備えることを特徴とするワイヤレス送受信ユニット。
【請求項５８】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項５７に記載のワイヤレス送受信ユニット。
【請求項５９】
複数の他のワイヤレス送受信ユニット（ＷＴＲＵｓ）とのワイヤレス通信を行うワイヤレス送受信ユニットであって、該他のワイヤレス送受信ユニットへ利用可能なワイヤレス通信データ速度を通知するように構成されたワイヤレス送受信ユニットにおいて、該他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、前記第２の定義された速度集合は前記第１および第２タイプのワイヤレス送受信ユニットの両方によって利用できる第１タイプのデータ速度と、前記第２タイプのワイヤレス送受信ユニットは利用できるが前記第１タイプのワイヤレス送受信ユニットは利用できない第２タイプのデータ速度とを含むワイヤレス送受信ユニットにおいて、
本速度通知ワイヤレス送受信ユニットとワイヤレスに通信する前記第１タイプのワイヤレス送受信ユニットの数ｍおよび前記第２タイプのワイヤレス送受信ユニットの数ｎを判定するように構成された受信ユニット；
本速度通知ワイヤレス送受信ユニットと、それが通信している前記第１および第２タイプのワイヤレス送受信ユニットとの間の無線リンクの品質を判定するように構成された信号処理ユニット；および、
ｍ≠０、前記第２タイプのワイヤレス送受信ユニットの少なくとも１つが本速度通知ワイヤレス送受信ユニットと第１タイプのデータ速度で通信しており、かつ、ｍ／ｎが所定のワイヤレス送受信ユニット比率閾値より小さいとき、前記第２タイプのデータ速度でなく前記第１タイプのデータ速度のサポートを通知するように構成された送信ユニット
を備えることを特徴とするワイヤレス送受信ユニット。
【請求項６０】
前記送信ユニットは、ｍ≠０、前記第２タイプのワイヤレス送受信ユニットの少なくとも１つが本速度通知ワイヤレス送受信ユニットと第１タイプのデータ速度で通信しており、かつ、ｍ／ｎが所定のワイヤレス送受信ユニット比率より小さいとき、前記第１の定義されたデータ速度集合のサポートを通知し、未通知の速度での通信を無効にするように構成されることを特徴とする請求項５９に記載のワイヤレス送受信ユニット。
【請求項６１】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項６０に記載のワイヤレス送受信ユニット。
【請求項６２】
前記送信ユニットは、ｍ≠０、前記第２タイプのワイヤレス送受信ユニットの少なくとも１つが本速度通知ワイヤレス送受信ユニットと第１タイプのデータ速度で通信しており、かつ、ｍ／ｎが所定のワイヤレス送受信ユニット比率閾値以上のとき、前記第２の定義されたデータ速度集合のサポートを通知するように構成されることを特徴とする請求項６０に記載のワイヤレス送受信ユニット。
【請求項６３】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項６２に記載のワイヤレス送受信ユニット。
【請求項６４】
前記送信ユニットは、ｍ≠０、ｎ≠０、かつ、前記第１タイプのワイヤレス送受信ユニットによって利用できない第２タイプのデータ速度で前記第２タイプのワイヤレス送受信ユニット全てが本速度通知ワイヤレス送受信ユニットと通信しているとき、前記第２の定義されたデータ速度集合のサポートを通知するように構成されることを特徴とする請求項６２に記載のワイヤレス送受信ユニット。
【請求項６５】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項６４に記載のワイヤレス送受信ユニット。
【請求項６６】
前記送信ユニットは、本ワイヤレス送受信ユニットと通信している前記第２タイプのワイヤレス送受信ユニット全てが１１Ｍｂｐｓより大きいデータ速度で通信しているとき、前記第２の定義されたデータ速度集合のサポートを通知するように構成されることを特徴とする請求項６５に記載のワイヤレス送受信ユニット。
【請求項６７】
前記送信ユニットは、ｍ＝０のとき、または判定された前記無線リンクの品質が望ましいレベルにあってｎ＝０のとき、前記第２の定義されたデータ速度集合のサポートを通知するように構成されることを特徴とする請求項６４に記載のワイヤレス送受信ユニット。
【請求項６８】
ワイヤレスローカルエリアネットワーク（ＷＬＡＮ）に対するアクセスポイント（ＡＰ）として１、２、５．５、６、９、１１、１２、１８、２４、３６、４８および５４Ｍｂｐｓのデータ速度で通信するように構成され、前記第１の定義された速度集合は１、２、５．５および１１Ｍｂｐｓのデータ速度を含み、前記第２の定義された速度集合は１、２、５．５、６、９、１１、１２、１８、２４、３６、４８および５４Ｍｂｐｓのデータ速度を含み、前記第１および第２タイプのワイヤレス送受信ユニットによって利用できる前記第１タイプのデータ速度は１、２、５．５および１１Ｍｂｐｓを含み、前記第１タイプのワイヤレス送受信ユニットによって利用できない前記第２タイプのデータ速度は６、９、１２、１８、２４、３６、４８および５４Ｍｂｐｓを含むことを特徴とする請求項６５に記載のワイヤレス送受信ユニット。
【請求項６９】
前記信号処理ユニットは、フレーム誤り率（ＦＥＲ）が所定のＦＥＲ閾値を下回るとき、望ましいレベルのリンク品質が判定されるように前記ＦＥＲを判定することによって、無線リンクの品質を判定するように構成され、前記送信ユニットは、本ワイヤレス送受信ユニットと通信している前記第２タイプのワイヤレス送受信ユニットの全てが１１Ｍｂｐｓより大きいデータ速度で通信しているとき、前記第２の定義されたデータ速度集合のサポートを通知するように構成されることを特徴とする請求項６８に記載のワイヤレス送受信ユニット。
【請求項７０】
前記受信ユニット、前記信号処理ユニットおよび前記送信ユニットは、特定用途向け集積回路（ＡＳＩＣ）に実装されることを特徴とする請求項６９に記載のワイヤレス送受信ユニット。
【発明の詳細な説明】
【技術分野】
【０００１】
本出願は、ワイヤレス通信のための装置および方法に関し、詳細にはワイヤレスローカルエリアネットワーク（ＷＬＡＮｓ）、特に８０２．１１として知られる標準系の１つまたは複数に準拠するネットワークのための、データ速度の制御およびワイヤレス通信のスケジューリングに関する。
【背景技術】
【０００２】
ワイヤレス通信システムは当分野では公知である。一般的に、そのようなシステムは通信局を備え、通信局は各局間でワイヤレス通信信号を送受信する。システムのタイプに応じて、通信局は通常２つのタイプのうちの１つである。即ち、基地局またはワイヤレス送受信ユニット（ＷＴＲＵｓ）であり、これらはモバイルユニットを含む。
【０００３】
ここで使用する基地局という用語は、これらに限らないが、基地局、ノードＢ、サイトコントローラ、アクセスポイントまたは、その基地局が関連するネットワークへのワイヤレスアクセスをワイヤレス送受信ユニットに提供するようなワイヤレス環境における他のインターフェース装置を含む。
【０００４】
ここで使用するワイヤレス送受信ユニットという用語は、これらに限らないが、ユーザ機器、移動局、固定またはモバイル加入者ユニット、ページャ、またはワイヤレス環境において動作可能な他の任意のタイプの装置を含む。ワイヤレス送受信ユニットは、電話、ビデオ電話、ネットワーク接続を有するインターネットフォンを含む。また、ワイヤレス送受信ユニットは、同様のネットワーク容量を有するワイヤレスモデム付きのＰＤＡｓおよびノートブックコンピュータ等の、ポータブルパーソナルコンピュータ装置を含む。ポータブル、言い換えれば位置変更可能なワイヤレス送受信ユニットは、モバイルユニットと称する。総称的には、基地局もワイヤレス送受信ユニットである。
【０００５】
通常、基地局のネットワークは、適切に構成されたワイヤレス送受信ユニットと各基地局が同時ワイヤレス通信できるところに提供される。ワイヤレス送受信ユニットの中には、互いに直接、即ち基地局経由でネットワークを通して中継する必要なしに、ワイヤレス通信を行うように構成されるものもある。これは一般にピアーツーピアワイヤレス通信と呼ばれる。ワイヤレス送受信ユニットが他のワイヤレス送受信ユニットと通信するように構成されるところでは、それ自身基地局として構成され、かつ機能してよい。ワイヤレス送受信ユニットは、ネットワークおよびピアツーピア通信能力の両方を有する複数ネットワーク内での使用のために構成できる。
【０００６】
ワイヤレスローカルエリアネットワーク（ＷＬＡＮ）と呼ばれるある種のワイヤレスシステムは、ＷＬＡＮモデムを搭載したワイヤレス送受信ユニットとワイヤレス通信を行うように構成できる。このＷＬＡＮモデムは、同様にＷＬＡＮモデムを搭載したワイヤレス送受信ユニットとピアツーピア通信を行うこともできる。現在、ＷＬＡＮモデムは、メーカーによって、従来の多くの通信およびコンピュータ装置に統合されつつある。例えば、携帯電話、パーソナルデジタルアシスタント、およびラップトップコンピュータには、１つまたは複数のＷＬＡＮモデムが使用されている。
【０００７】
アクセスポイント（ＡＰｓ）と通常呼ばれる１つまたは複数のＷＬＡＮ基地局を有する、普及しているワイヤレスローカルネットワーク環境は、ＩＥＥＥ８０２．１１ｂ標準に従って構築される。これらのネットワークへのアクセスは通常、ユーザ認証手続きを要する。そのようなシステムに対するためのプロトコルは現在、ＷＬＡＮ技術分野において標準化されつつある。そのようなプロトコルのフレームワークの１つは、ＩＥＥＥ８０２系の標準である。
【０００８】
基本サービスセット（ＢＳＳ）はＩＥＥＥ８０２．１１ＷＬＡＮのビルディングブロックであり、これは局（ＳＴＡｓ）と通常称されるワイヤレス送受信ユニットから成る。基本的に、互いに通信できるＳＴＡｓの集合はＢＳＳを形成できる。複数のＢＳＳｓは分散システム（ＤＳ）と呼ばれるアーキテクチャコンポーネントを通して相互接続され、拡張サービスセット（ＥＳＳ）を形成する。アクセスポイント（ＡＰ）は、ＤＳサービスを提供することによってＤＳへのアクセスを提供する局（ＳＴＡ）であり、一般的に複数のＳＴＡｓによるＤＳへの同時アクセスを可能にする。
【０００９】
８０２．１１標準により、複数の送信速度（および速度間の動的切り替え）を使用して、スループットを最適化できる。低速度は高速度より堅牢な変調特性を有するので、より広い範囲で動作でき、および／またはノイズのある環境においてより良く動作できる。速度が高くなるとスループットは良くなる。任意の与えられたカバレージおよび干渉条件に対し、可能な最適（最高）の速度を常に選択することは、最適化の課題である。
【００１０】
８０２．１１標準の様々なバージョンで現在規定されている速度を、以下の表１に示す。
【００１１】
【表１】
2007511958.tif 000003
【００１２】
８０２．１１ｇに関しては、速度６，９，１２，１８，２４，３６，４８および５４Ｍｂｐｓは直交周波数分割変調（ＯＦＤＭ）を使用する。速度の選択は、システムとユーザスループット、範囲およびフェアネスの点で性能に影響することがある。
【発明の開示】
【発明が解決しようとする課題】
【００１３】
従来、各８０２．１１装置は、その中に実装され、その装置によってのみ制御される速度制御アルゴリズムを有してきた。具体的には、ＳＴＡｓ内のアップリンク（ＵＬ）速度制御、およびＡＰｓ内のダウンリンク（ＤＬ）速度制御である。速度切り替えに対するアルゴリズムはその標準によっては規定されず、ＳＴＡ（およびＡＰ）の実装に一任されている。
【００１４】
本発明者は、各ＳＴＡが通常パケットデータ送信の機会を等しく得ることを認識している。しかしながら、低速度で送信したパケットは高速度で送信したものよりもかなり時間を要し、ＷＬＡＮが単一の共有チャネルを有するところでは、最も低いデータ速度が原因で、ＳＴＡｓが通信しているＡＰの容量が減少する。
【００１５】
さらに、ＡＰｓは複数のＳＴＡｓに対する通信を処理しなければならないことが多い。これは、様々なＳＴＡｓへのデータに対するダウンリンク送信のスケジューリング問題を提起する。各待ち行列から送信用にデータを解放するために、サービスクラスに基づいたＡＰｓは、優先度システムの使用と組み合わせてデータ待ち行列を有利に使用してよいことを、本発明者は認識している。
【００１６】
幾つかの例では、ＡＰｓは複数のタイプのＳＴＡに対してワイヤレスサービスを提供するように構成される。例えば、ＩＥＥＥ８０２．１１ｇ標準に準拠の装置が利用可能となった。これらの装置は既存のＩＥＥＥ８０２．１１ｂ装置と同じチャネルで動作するが、より高いスループット速度で動作する。８０２．１１ｇ標準下で動作するシステムは、レガシーな８０２．１１ｂのシステムと共存可能にするため、８０２．１１ｂおよび８０２．１１ｇ両方のＳＴＡｓが８０２．１１ｇのＡＰと通信できるように構成されるのが望ましい。
【００１７】
上述のように、８０２．１１の全てのシステムでは、無線送信のための送信速度を選択できるが、送信のために選択すべき速度は実装依存である。自明な解決法は、個々の送信に対するスループットを最大にする速度を選択することである。このことは受信機性能が等しいと仮定すると、同一の信号強度および干渉レベルでは、８０２．１１ｇのＯＦＤＭ速度が、８０２．１１ｂの速度より常に多く選択されるだろうことを示唆する。しかしながら、以下で論ずるように、本発明者は、このことは８０２．１１ｂ装置に対して利用可能なバンド幅への公平なアクセスを保証しないことを認識している。従って、８０２．１１ｂおよび８０２．１１ｇ装置の動作特性の差異を考慮する送信速度を提供し、より公平に８０２．１１ｂおよび８０２．１１ｇ装置間に送信速度を配分することは有益である。
【課題を解決するための手段】
【００１８】
本発明は、ワイヤレスネットワーク内通信容量を拡大するように構成された、方法およびワイヤレス通信装置に関する。本発明の一態様において、データパケット送信のための様々なスケジューリングプロセスおよびスケジューラが開示される。本発明の別の態様において、異なるタイプのワイヤレス送受信ユニット（ＷＴＲＵｓ）にワイヤレスサービスを提供する共通ユニットが通知する、適切な送信速度の選択を取り扱う。
【００１９】
一実施形態において、複数の他のワイヤレス送受信ユニットとワイヤレス通信を行うワイヤレス送受信ユニットであって、他のワイヤレス送受信ユニットへのワイヤレス通信データの送信を制御するためのプロセスを実装するワイヤレス送受信ユニットを提供する。ワイヤレス送受信ユニットは、他のワイヤレス送受信ユニットへ送信するためのデータパケットを送信速度に基づいて待機させるように構成されたスケジューラを有する。スケジューラは、最低データ速度の待ち行列内に待機させられたデータパケットに最短時間が配分され、および、最高データ速度の待ち行列内に待機させられたデータパケットに最長時間が配分されるように、待機したデータパケットの送信を送信速度割り当て待ち行列（transmission rate assigned queues）から連続した順番で、各待機順序（each queue turn）について配分した時間に基づいて選択的に可能に（enable）する。スケジューラは、所与の待ち行列に割り当てられるデータ速度よりも低いデータ速度の送信に指定されたデータパケットに割り当てられる各待ち行列に配分される時間と少なくとも同じ長さの時間を、所与の待ち行列に配分するように構成されることが望ましい。そのようなワイヤレス送受信ユニットは８０２．１１のワイヤレスローカルエリアネットワーク（ＷＬＡＮ）に対するアクセスポイント（ＡＰ）として有利に構成される。
【００２０】
概して、ワイヤレス送受信ユニットのスケジューラは、最低データ速度で通信されるデータパケットに最短時間が配分され、最高データ速度で通信されるデータパケットに最長時間が配分されるように、各待機順序について配分した時間に基づいて、他のワイヤレス送受信ユニットと連続した順番でデータパケットの通信を選択的に可能に（enable）するように構成できる。そのスケジューラは他のワイヤレス送受信ユニットからのデータを受信するための時間を次のように配分するように構成されることが望ましい。つまり、他のワイヤレス送受信ユニットのそれぞれに対して、その各順番に、そのワイヤレス送受信ユニットがデータパケットを送信する送信速度に基づいて送信時間を提供し、その送信時間は、そのワイヤレス送受信ユニットがデータパケットを送信する送信速度よりも低いデータ速度での送信に指定されたデータパケットに配分した時間と少なくとも同じ長さとなる。さらにスケジューラは、他のワイヤレス送受信ユニットへの送信のためのデータパケットを送信速度に基づいて待機させるように構成することができ、最低データ速度の待ち行列内に待機させられたデータパケットに最短時間が配分され、最高データ速度の待ち行列内に待機させられたデータパケットに最長時間が配分されるように各待機順序について配分した時間に基づき、待機したデータパケットの送信を、送信速度割り当て待ち行列（transmission rate assigned queues）から連続した順番で選択的に可能に（enable）するように構成することができる。そのような場合、スケジューラは、所与の待ち行列に対し、所与の待ち行列に割り当てたデータ速度よりも低いデータ速度の送信に指定されたデータパケットに割り当てた各待ち行列に配分した時間と、少なくとも同じ長さの時間を配分するように構成されることが望ましい。そのようなワイヤレス送受信ユニットは、８０２．１１のワイヤレスローカルエリアネットワーク（ＷＬＡＮ）に対するアクセスポイント（ＡＰ）として有利に構成される。
【００２１】
１つのワイヤレス送受信ユニット（ＷＴＲＵ）と複数の他のワイヤレス送受信ユニットの間のワイヤレスデータ通信を行うため、および他のワイヤレス送受信ユニットへのそのような通信データの送信を制御するための、対応する方法を提供する。他のワイヤレス送受信ユニットへ送信するためのデータパケットは、送信速度に基づいて待機させられる。待機したデータパケットの送信は、最低データ速度の待ち行列内に待機させられたデータパケットに最短時間が配分され、および、最高データ速度の待ち行列内に待機させられたデータパケットに最長時間が配分されるように、送信速度割り当て待ち行列から連続した順番で、各待機順序について配分した時間に基づいて選択的に可能に（enable）される。所与の待ち行列に配分される時間は、その待ち行列に割り当てたデータ速度よりも低いデータ速度の送信に指定されたデータパケットに割り当てた各待ち行列に配分した時間と少なくとも同じ長さの時間であることが望ましい。
【００２２】
概してこの方法は、最低データ速度で通信されるデータパケットに最短時間が配分され、最高データ速度で通信されるデータパケットに最長時間が配分されるように、各順序について配分した時間に基づいて連続した順番で他のワイヤレス送受信ユニットとのデータパケットの通信を選択的に可能に（enable）することを伴う。他のワイヤレス送受信ユニットからのデータパケットを受信するための時間は次のように配分されることが望ましい。つまり、他のワイヤレス送受信ユニットのそれぞれに対して、その各順番に、そのワイヤレス送受信ユニットがデータパケットを送信する送信速度に基づいた送信時間を提供し、その送信時間は、そのワイヤレス送受信ユニットがデータパケットを送信する送信速度よりも低いデータ速度での送信に指定されたデータパケットに配分した時間と少なくとも同じ長さとなる。また、データパケットは他のワイヤレス送受信ユニットへの送信のため、送信速度に基づいて待機させられることができ、その後、最低データ速度の待ち行列内に待機させられたデータパケットに最短時間が配分され、最高データ速度の待ち行列内に待機させられたデータパケットに最長時間が配分されるように、各待機順序について配分した時間に基づいて、送信速度割り当て待ち行列から連続した順番で、待機したデータパケットの送信が、選択的に可能に（enable）される。そのような場合、所与の待ち行列に配分される時間は、その待ち行列に割り当てたデータ速度よりも低いデータ速度の送信に指定されたデータパケットに割り当てた各待ち行列に配分した時間と少なくとも同じ長さであることが望ましい。
【００２３】
別の実施形態においては、ワイヤレス送受信ユニットのスケジューラは、データパケットを、他のワイヤレス送受信ユニットへの送信のため、選択された基準に基づいて待機させるように構成される。待ち行列到着時刻を各待機したデータパケットに結びつけ、それによって、データパケットが待機している各待ち行列内で、同一待ち行列内の他のデータパケットに結びつけられた待ち行列到着時刻と比較して最も早い待ち行列到着時刻と結び付けられたデータパケットが、その待ち行列の先頭に配置される。送信処理のためのデータパケットを、待ち行列のうちの１つの先頭に同時に配置された各データパケットについて計算された優先度指標に基づいて待ち行列のうちの１つの先頭から取り除くことによって、待機したデータパケットの送信を選択的に可能に（enable）するようスケジューラをさらに構成することが望ましい。スケジューラは、データパケットの優先度指標を、そのデータパケットに結びつけられた待ち行列到着時刻および、そのデータパケットに関連付けられたデータ送信速度を使用して計算するように構成されることが望ましい。
【００２４】
そのような実施形態の１つの変形において、スケジューラは、各データパケットに結びつけられたデータ送信速度に基づいてデータパケットを待機させるように構成され、データパケット待ち行列が種々のデータ速度について定義される。データ送信に対するサービスクラスが定義され、各サービスクラスはデータ送信速度と結びつけられているところでは、スケジューラは、各データパケットに結びつけられたサービスクラスに基づいてデータパケットを待機させるように構成され、各サービスクラスに対してデータパケット待ち行列が定義されることが望ましい。
【００２５】
そのような実施形態の別の変形において、スケジューラは、各データパケットに結びつけられた宛先ワイヤレス送受信ユニットに基づいてデータパケットを待機させるように構成され、データパケット待ち行列が種々の宛先ワイヤレス送受信ユニットのそれぞれについて定義される。いずれの場合でも、ワイヤレス送受信ユニットは８０２．１１のワイヤレスローカルエリアネットワーク（ＷＬＡＮ）のためのアクセスポイント（ＡＰ）として有利に構成される。
【００２６】
実装において、ワイヤレス送受信ユニットはメモリデバイスと関連プロセッサを含むことができる。メモリデバイスは、選択されたデータパケットの特性に基づいて選択的に定義されたデータパケット送信待ち行列で構成されることが望ましい。プロセッサは、待ち行列到着時刻を、送信のため待機させるために受信した連続するデータパケットに関連付けるように構成され、各データパケットを、その選択されたデータパケット特性に基づいて、その待ち行列到着時刻と関連付けて各待ち行列に格納するように構成されることが望ましい。結果として、データパケットが待機している各待ち行列内で、同一待ち行列内の他のデータパケットに結びつけられた待ち行列到着時刻と比較して最も早い待ち行列到着時刻と結び付けられたデータパケットが、その待ち行列の先頭に配置される。プロセッサは、さらに、送信処理のためのデータパケットを、その待ち行列のうちの１つの先頭に同時に配置された各データパケットについて計算された優先度指標に基づいて、その待ち行列のうちの１つの先頭から取り除くことによって、待機したデータパケットの送信を選択的に可能に（enable）するように構成されることが望ましい。そのような場合、プロセッサは、データパケットの優先度指標を、そのデータパケットに結びつけられた待ち行列到着時刻およびそのデータパケットに関連するデータ送信速度を使用して計算するように構成されることが望ましい。
【００２７】
そのような実施形態の１つの変形において、メモリデバイスは、データパケット待ち行列が種々のデータ速度について定義されるように構成され、プロセッサは、各データパケットに結びつけられたデータ送信速度に基づいて各待ち行列にデータパケットを格納するように構成される。データ送信に対するサービスクラスが定義され、各サービスクラスがデータ送信速度に結びつけられているところでは、プロセッサは、各データパケットに結びつけられたサービスクラスに基づいてデータパケットを待機させるように構成され、各サービスクラスに対してデータパケット待ち行列がメモリデバイス内で定義されることが望ましい。
【００２８】
そのような実施形態の別の変形において、メモリデバイスは、データパケット待ち行列が種々の宛先ワイヤレス送受信ユニットのそれぞれについて定義されるように構成され、プロセッサは、各データパケットに結びつけられた宛先ワイヤレス送受信ユニットに基づいて各待ち行列内にデータパケットを格納するように構成される。いずれの場合でも、ワイヤレス送受信ユニットは、８０２．１１のワイヤレスローカルエリアネットワーク（ＷＬＡＮ）に対するアクセスポイント（ＡＰ）として有利に構成される。
【００２９】
待ち行列到着時刻が、待機したデータパケットそれぞれに結びつけられるような選択された基準に基づいて、他のワイヤレス送受信ユニットへの送信のためデータパケットを待機させることを含む対応する方法を提供する。結果として、データパケットが待機している各待ち行列内で、同待ち行列内の他のデータパケットに結びつけられた待ち行列到着時刻と比較して最も早い待ち行列到着時刻と結び付けられたデータパケットが、その待ち行列の先頭に配置される。待機したデータパケットの送信は、その後、その待ち行列のうちの１つの先頭に同時に配置された各データパケットに対して計算される優先度指標に基づいて、その待ち行列のうちの１つの先頭から送信処理のためデータパケットを取り除くことによって、選択的に可能に（enable）される。データパケットの優先度指標の計算は、そのデータパケットに結びつけられた待ち行列到着時刻およびそのデータパケットに関連づけられたデータ送信速度を使用することが望ましい。
【００３０】
そのような方法の別の変形において、各データパケットに結びつけられたデータ送信速度に基づきデータパケットを待機させ、データパケット待ち行列が種々のデータ速度について定義される。データ送信用サービスクラスを有し、そのサービスクラスのそれぞれはデータ送信速度に結びつけられた８０２．１１のワイヤレスローカルエリアネットワーク（ＷＬＡＮ）に対するアクセスポイント（ＡＰ）によってステップが実行されるところでは、各データパケットに結びつけられたサービスクラスに基づきデータパケットを待機させ、データパケット待ち行列が各サービスクラスについて定義されることが望ましい。
【００３１】
そのような実施形態の別の変形において、各データパケットに結びつけられた宛先ワイヤレス送受信ユニットに基づいてデータパケットが待機させられ、データパケット待ち行列が種々の宛先ワイヤレス送受信ユニットのそれぞれについて定義される。そのような方法は、８０２．１１のワイヤレスローカルエリアネットワーク（ＷＬＡＮ）に対するアクセスポイント（ＡＰ）によって有利に実行される。
【００３２】
本発明の別の態様において、ワイヤレス送受信ユニット（ＷＴＲＵ）が複数の他のワイヤレス送受信ユニットとワイヤレス通信を行い、他のワイヤレス送受信ユニットへ利用可能なワイヤレス通信データ速度を通知するためのプロセスを実装する、方法が提供される。ここで、複数の他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、その第２の定義された速度集合は第１および第２タイプのワイヤレス送受信ユニットの両方によって利用できる第１タイプのデータ速度と、第２タイプのワイヤレス送受信ユニットは利用できるが第１タイプのワイヤレス送受信ユニットは利用できない第２タイプのデータ速度とを含む。速度通知ワイヤレス送受信ユニットとワイヤレスに通信する第１タイプのワイヤレス送受信ユニットの数ｍおよび第２タイプのワイヤレス送受信ユニットの数ｎが判定される。速度通知ワイヤレス送受信ユニットと、それが通信している第１および第２タイプのワイヤレス送受信ユニットとの間の無線リンクの品質も判定される。その結果、ｍ＝０のとき、または判定された無線リンクの品質が望ましいレベルにあってｎ＝０のとき、第２の定義されたデータ速度集合のサポートが通知される。無線リンクの品質の判定は、フレーム誤り率（ＦＥＲ）が所定の閾値を下回るとき、望ましいレベルのリンク品質が判定されるように、ＦＥＲを判定することを、本方法に追加的に含めることができる。
【００３３】
さらに、または、別のものとして、ｍ≠０、ｎ≠０かつ第１タイプのワイヤレス送受信ユニットによって利用できない第２タイプのデータ速度で第２タイプのワイヤレス送受信ユニット全てが速度通知ワイヤレス送受信ユニットと通信しているとき、第２の定義されたデータ速度集合のサポートを通知することを、本方法に含めてもよい。そのような方法は、１、２、５．５、６、９、１１、１２、１８、２４、３６、４８および５４Ｍｂｐｓのデータ速度で通信するように構成されるワイヤレスローカルエリアネットワーク（ＷＬＡＮ）に対するアクセスポイント（ＡＰ）によって有利に実行される。ここで、第１の定義された速度集合は１、２、５．５および１１Ｍｂｐｓのデータ速度を含み、第２の定義された速度集合は１、２、５．５、６、９、１１、１２、１８、２４、３６、４８および５４Ｍｂｐｓのデータ速度を含む。そのような場合、第１および第２タイプのワイヤレス送受信ユニットによって利用できる第１タイプのデータ速度は１、２、５．５および１１Ｍｂｐｓを含み、第１タイプのワイヤレス送受信ユニットによって利用できない第２タイプのデータ速度は６、９、１２、１８、２４、３６、４８および５４Ｍｂｐｓを含む。そのような場合、ＡＰと通信している第２タイプのワイヤレス送受信ユニット全てが１１Ｍｂｐｓより大きいデータ速度で通信しているとき、第２の定義されたデータ速度集合のサポートの通知を実行することが望ましい。
【００３４】
さらに、または、別のものとして、ｍ≠０、第２タイプのワイヤレス送受信ユニットの少なくとも１つが速度通知ワイヤレス送受信ユニットと第１タイプのデータ速度で通信し、かつ、ｍ／ｎが所定のワイヤレス送受信ユニット比率閾値以上のとき、第２の定義されたデータ速度集合のサポートを通知することを、本方法が含んでもよい。さらなる追加または別のものとして、ｍ≠０、第２のタイプのワイヤレス送受信ユニットの少なくとも１つが速度通知ワイヤレス送受信ユニットと第１タイプのデータ速度で通信し、かつ、ｍ／ｎが所定のワイヤレス送受信ユニット比率閾値より小さいとき、第２タイプのデータ速度でなく第１のタイプのデータ速度のサポートを通知することを含んでもよい。第２タイプのデータ速度でなく第１タイプのデータ速度のサポートを通知することは第１の定義されたデータ速度集合を通知することを含むことが望ましく、未通知の速度での通信は速度通知ワイヤレス送受信ユニット内で無効に（disable）することが望ましい。
【００３５】
実装のため、複数の他のワイヤレス送受信ユニットとワイヤレス通信を行うワイヤレス送受信ユニットであって、他のワイヤレス送受信ユニットへ利用可能なワイヤレス通信データ速度を通知するように構成された速度通知ワイヤレス送受信ユニットが提供されることが望ましい。ここで、他のワイヤレス送受信ユニットは、第１の定義された速度集合内のデータ速度で通信できる第１タイプのワイヤレス送受信ユニットと、第２の定義された速度集合内のデータ速度で通信できる第２タイプのワイヤレス送受信ユニットとを含み、第２の定義された速度集合は第１および第２タイプのワイヤレス送受信ユニットの両方によって利用できる第１タイプのデータ速度と、第２タイプのワイヤレス送受信ユニットは利用できるが第１タイプのワイヤレス送受信ユニットは利用できない第２タイプのデータ速度とを含む。そのようなワイヤレス送受信ユニットは、受信ユニット、信号処理ユニットおよび送信ユニットを有するのが望ましい。受信ユニットは、速度通知ワイヤレス送受信ユニットとワイヤレスに通信する第１タイプのワイヤレス送受信ユニットの数ｍおよび第２タイプのワイヤレス送受信ユニットの数ｎを判定するように構成されるのが望ましい。信号処理ユニットは、速度通知ワイヤレス送受信ユニットと、それが通信している第１および第２タイプのワイヤレス送受信ユニットとの間の無線リンクの品質を判定するように構成されることが望ましい。送信ユニットは、ｍ＝０のとき、または判定された無線リンクの品質が望ましいレベルにあってｎ＝０のとき、第２の定義されたデータ速度集合のサポートを通知するように構成されることが望ましい。信号処理ユニットは、フレーム誤り率（ＦＥＲ）が所定の閾値を下回るとき、望ましいレベルのリンク品質が判定されるようにＦＥＲを判定することによって、無線リンクの品質を判定するように構成することができる。
【００３６】
代替または追加として、送信ユニットは、ｍ≠０、ｎ≠０、かつ第１のタイプのワイヤレス送受信ユニットによって利用できない第２のタイプのデータ速度で第２タイプのワイヤレス送受信ユニット全てが速度通知ワイヤレス送受信ユニットと通信するとき、第２の定義されたデータ速度集合のサポートを通知するように構成することができる。
【００３７】
そのようなワイヤレス送受信ユニットは、ワイヤレスローカルエリアネットワーク（ＷＬＡＮ）に対するアクセスポイント（ＡＰ）として、１、２、５．５、６、９、１１、１２、１８、２４、３６、４８および５４Ｍｂｐｓのデータ速度で通信するよう有利に構成される。ここで、第１の定義された速度集合は１、２、５．５および１１Ｍｂｐｓのデータ速度を含み、第２の定義された速度集合は１、２、５．５、６、９、１１、１２、１８、２４、３６、４８および５４Ｍｂｐｓのデータ速度を含む。ここで、第１および第２タイプのワイヤレス送受信ユニットによって利用できる第１タイプのデータ速度は１、２、５．５および１１Ｍｂｐｓを含み、第１タイプのワイヤレス送受信ユニットによって利用できない第２タイプのデータ速度は６、９、１２、１８、２４、３６、４８および５４Ｍｂｐｓを含む。そのような場合、送信ユニットは、そのワイヤレス送受信ユニットと通信している第２タイプのワイヤレス送受信ユニット全てが１１Ｍｂｐｓより大きいデータ速度でＡＰと通信しているとき、第２の定義されたデータ速度集合のサポートを通知するように構成されることが望ましい。
【００３８】
さらなる代替または追加として、送信ユニットは、ｍ≠０、第２タイプのワイヤレス送受信ユニットの少なくとも１つが速度通知ワイヤレス送受信ユニットと第１タイプのデータ速度で通信し、かつｍ／ｎが所定のワイヤレス送受信ユニット比率閾値以上のとき、第２の定義されたデータ速度集合のサポートを通知するように構成することができる。さらに、送信ユニットは、ｍ≠０、第２タイプのワイヤレス送受信ユニットの少なくとも１つが速度通知ワイヤレス送受信ユニットと第１タイプのデータ速度で通信し、かつ、ｍ／ｎが所定のワイヤレス送受信ユニット比率閾値より小さいとき、第２タイプのデータ速度でなく第１タイプのデータ速度のサポートを通知するように構成することができる。そのような場合、送信ユニットは、ｍ≠０、第２タイプのワイヤレス送受信ユニットの少なくとも１つが速度通知ワイヤレス送受信ユニットと第１タイプのデータ速度で通信し、かつｍ／ｎが所定のワイヤレス送受信ユニット比率より小さいとき、第１の定義されたデータ速度集合のサポートを通知し、未通知の速度での通信を無効に（disable）するように構成することが望ましい。
【００３９】
本発明の他の目的および利点は、以下の記述および添付図面から当業者には明らかとなるであろう。
【発明を実施するための最良の形態】
【００４０】
本発明を、図面を参照して記述する。図面全体にわたって、同じ数字は同じ要素を表す。基地局、アクセスポイント（ＡＰ）、局（ＳＴＡ）、ワイヤレス送受信ユニット、およびモバイルユニットという用語は上述のようにその一般的な意味で使用される。本発明が提供するのは、１つまたは複数のネットワーク化した基地局を有し、その基地局を通してワイヤレスアクセスサービスをワイヤレス送受信ユニットに提供するワイヤレス無線アクセスネットワークである。本発明は、モバイルユニットまたは移動ＳＴＡｓと共に使用すると、特に有用である。モバイルユニットまたは移動ＳＴＡｓは、基地局または他のＡＰsのそれぞれが提供する地理的カバレージの各領域に入ったり、および／またはその領域を通って移動するからである。
【００４１】
本発明によると、ワイヤレス送受信ユニットは、望ましくはワイヤレスローカルエリアネットワーク（ＷＬＡＮ）モデムを搭載し、同様にＷＬＡＮモデムを搭載したワイヤレス送受信ユニット間で直接情報を交換することによって、ピアツーピア動作モードで構成することができる。ワイヤレス送受信ユニットは、８０２．１１（ｂ）、８０２．１１（ｇ）、ＷｉＦｉまたはブルートゥース準拠装置等の、統合またはインストール済みワイヤレスＷＬＡＮ装置を、互いに通信するために有することができる。しかしながら、本発明は任意のワイヤレスシステムに適用可能である。
【００４２】
図１にＷＬＡＮが示されており、ここでは、ワイヤレス送受信ユニットはアクセスポイント（ＡＰ）５４経由でワイヤレス通信を行い、ＡＰ５４は、ネットワーク管理局（ＮＭＳ）１６等の他のネットワークインフラと接続できる。ＡＰ５４は、ワイヤレス送受信ユニット１８、ワイヤレス送受信ユニット２０、ワイヤレス送受信ユニット２２、ワイヤレス送受信ユニット２４、およびワイヤレス送受信ユニット２６と通信を行うとして示されている。通信はＡＰ５４を通して調整および同期される。そのような構成は、ＷＬＡＮコンテキスト内の基本サービスセット（ＢＳＳ）とも称される。
【００４３】
一般的に、ＷＬＡＮシステムは、種々のデータ速度を有するワイヤレス送受信ユニットをサポートする。幾つかの場合においては、ＡＰは、８０２．１１（b）準拠のワイヤレス送受信ユニットだけでなく８０２．１１（g）準拠のワイヤレス送受信ユニット等、複数のタイプのワイヤレス送受信ユニットをサポートするように構成される。そのような場合、上記の速度表に示されるように、８０２．１１（ｇ）準拠のワイヤレス送受信ユニットが利用可能なデータ速度はより多くなる。
【００４４】
ＡＰ５４が、８０２．１１（ａ）準拠のワイヤレス送受信ユニットのみ等、１つのタイプのワイヤレス送受信ユニットをサポートするように構成される場合、各ワイヤレス送受信ユニットはパケットデータ等の通信データを送信する上で等しい機会を得るが、使用される速度は異なることがあり、個々のワイヤレス送受信ユニット−ＡＰ通信のサービス品質（ＱｏＳ）に通常関係する様々な要因に左右されることがある。よりも低い速度で送信されたデータパケットは、より高い速度で送信されたものよりも非常に長い時間がかかる。そのようなパケットデータに対し単一の共有チャネルを有するＷＬＡＮでは、データパケット通信に使用される最も低いデータ速度が、ＡＰの容量を制御し、その容量を制限する原因となる。
【００４５】
本発明が教示するところによると、ＡＰは、ＡＰがパケットを送信するのにかかる時間に基づいてパケットデータをスケジュールするのが望ましい。ネットワーク容量を最適化するために、待ち行列内での最大許容時間と個々のサービスに対して要求された遅延ＱｏＳとを制限として使用することにより、様々な速度に対して配分された時間量を選択的に決定する。これを行うため、ＡＰは、送信したパケット数ではなく一定サイズのパケット送信にかかる時間に基づいて、種々のＳＴＡｓに対してデータパケットをスケジュールするのが望ましい。ＡＰ容量／スループットの全体を最適化するため、より多い時間がより高いデータ速度のサービスに配分され、より少ない時間がよりも低いデータ速度のサービスに配分される。従って、これによって、単一の低速度装置が原因で全体のＡＰスループットが低くなるという現在の問題を解決する。
【００４６】
例えば、図１を参照すると、ワイヤレス送受信ユニットおよびＡＰ５４は、８０２．１１（ａ）標準の下で動作するように構成することができる。そうすると、ＡＰは、表２に示すように、以下の速度依存の相対時間に対してパケットの送信を許可する方法を決める。ここで、Ｔ１は、最遅速度に対する最短の最大時間間隔を表し、８０２．１１（ａ）の場合は現在６Ｍｂｐｓである。
【００４７】
【表２】
2007511958.tif 000004
【００４８】
ワイヤレス送受信ユニット１８は４８Ｍｂｐｓの速度で通信するデータパケットを有することができ；ワイヤレス送受信ユニット２０は１２Ｍｂｐｓの速度で通信するデータパケットを有することができ；ワイヤレス送受信ユニット２２は３６Ｍｂｐｓの速度で通信するデータパケットを有することができ；ワイヤレス送受信ユニット２４は６Ｍｂｐｓの速度で通信するデータパケットを有することができ；ワイヤレス送受信ユニット２６は５４Ｍｂｐｓの速度で通信するデータパケットを有することができる。そのような場合、ワイヤレス送受信ユニット１８はその順番の時に３Ｔ１が配分されてデータパケットを通信し；ワイヤレス送受信ユニット２０はその順番の時に２Ｔ１が配分されてデータパケットを通信し；ワイヤレス送受信ユニット２２はその順番の時に５Ｔ１が配分されてデータパケットを通信し；ワイヤレス送受信ユニット２４はその順番の時に１Ｔ１が配分されてデータパケットを通信し；ワイヤレス送受信ユニット２６はその順番の時に６Ｔ１が配分されてデータパケットを通信することになる。
【００４９】
例えば、ワイヤレス送受信ユニット１８がその順番の時に２Ｔ１のみを使用してデータパケットを通信すれば、次のワイヤレス送受信ユニットがデータパケット送信の順番を開始することが望ましい。しかしながら、ワイヤレス送受信ユニット１８がそのデータパケット通信に５Ｔ１を要すれば、ワイヤレス送受信ユニット１８は最初の順番でそのデータパケットの一部しか送信できず、残りのデータパケットを送信するのに次の順番まで待つ必要がある。
【００５０】
ＡＰに対する本発明の一実装例は、様々な速度のそれぞれで送信されるデータパケット用の待ち行列で構成されるメモリを有することである。そうすると、ＡＰは各待ち行列から、待ち行列に入れられて待機したパケットを所定の順序で単に取り出すことによって、待ち行列に入れられて待機したデータパケットを各ワイヤレス送受信ユニットに送信できる。ここで、各待ち行列の順番で送信されるパケット数は、その待ち行列に関連付けられたデータ速度に対して配分された時間に基づく。
【００５１】
例えば、８０２．１１（ａ）のワイヤレス送受信ユニットの役割を担うＡＰでは、８つのデータ速度のそれぞれに対して１つが対応する８つの待ち行列を提供できる。連携して動作するＡＰスケジューラは、最も低い速度から最も高い速度の待ち行列、即ち、６Ｍｂｐｓの待ち行列、９Ｍｂｐｓの待ち行列、１２Ｍｂｐｓの待ち行列、１８Ｍｂｐｓの待ち行列、２４Ｍｂｐｓの待ち行列、３６Ｍｂｐｓの待ち行列、４８Ｍｂｐｓの待ち行列、５４Ｍｂｐｓ待ち行列等の、所定の順序で各待ち行列に繰り返しアクセスすることになる。そのアクセスは、個々のサービス速度に対して示された配分時間まで、即ち例えば上の表で示した例では６Ｍｂｐｓの待ち行列にＴ１、２４Ｍｂｐｓの待ち行列に４Ｔ１の間続くように構成されることが望ましい。その順番において２４Ｍｂｐｓの待ち行列内のデータパケット通信に２Ｔ１しか必要なければ、３６Ｍｂｐｓの待ち行列からデータパケットを送信する次の順番を、４Ｔ１が経過するのを待つことなく開始するのが望ましい。しかしながら、その順番において２４Ｍｂｐｓの待ち行列内のデータパケット通信に５Ｔ１が必要であれば、後に待ち行列に入れられて待機したパケットは、次の順番まで２４Ｍｂｐｓの待ち行列内に残った後、送信される。順番がきたとき、ある待ち行列内にパケットがないところでは、その待ち行列はその順番をスキップすることが望ましい。
【００５２】
スケジューラは、各サービスのＱｏＳ基準に対して許可される待ち行列内の最大許容時間を制限するように構成されることが望ましい。しかしながら、様々な速度に配分された時間量を、負荷または他の基準に基づいて変化させて、ネットワーク容量を最適化することができる。例えば、各待ち行列にあるパケット量を追跡して、待ち行列のアクセス順の各列に対して、待ち行列の配分時間を増減してもよい。従って、追跡することで２４Ｍｂｐｓ、３６Ｍｂｐｓおよび４８Ｍｂｐｓの待ち行列に現在のパケットがないと分かれば、スケジューラは、次いで、その順番の列に関して他の待ち行列それぞれに配分したアクセス時間を２倍にすることを決定するように構成されてもよい。
【００５３】
より高いデータ速度のサービスにより多くの時間を配分することで全体のＡＰ容量／スループットを最適化することは、それ自体、相対的に大きなシステムとＳＴＡ内遅延とをもたらすことがある。従って、ＡＰデータパケット送信機のスケジューラを、所定の待ち行列アクセスの列で待ち行列からパケットを選択するように構成する代わりに、待ち行列に入れられて待機したパケットに対して判定される優先度指標値に基づいてパケットをスケジュールするスケジューラが提供されてもよい。
【００５４】
待ち行列およびスケジューラの構成は、異なるシステム設計およびオプションを取り入れるよう変化させることができる。例えば、ＡＰは、ＳＴＡｓに送信されるデータパケットに対するサービス要件がＡＰに既知であるか否かに応じて、選択的に構成されてもよい。どちらの場合においても、目的は、スケジューラがシステムスループットを最適化するように構成されることである。可能なところでは、異なるサービスに対する遅延要件を考慮して構成されることが望ましい。図２に示すようにスケジューラ３０がサービスのクラス（ＣｏＳ）の情報を認識する場合と、図３に示すようにスケジューラ４０がサービスのクラスの情報を認識しない場合とに対して、２つの例を以下に提供する。一般に、各スケジューラ３０、４０は図２および図３内の矩形およびデータブロックで表される各メモリデバイスと、図２および図３内の太い矢印で表される関連処理装置とを備える。８０２．１１タイプのＡＰでは、スケジューラ３０、４０は通常、通信処理のより高い層からデータパケットを受信した後、送信処理のためデータパケットを選択的にＭＡＣバッファに解放するために置かれている。
【００５５】
図２を参照すると、前もって分類されたトラフィック、即ち、その各サービス要件に従って既に分類されているデータパケット（例えば、ＩＥＥＥ８０２．１Ｄ、ＩＥＥＥ８０２．１Ｐまたは８０２．１Ｑ等におけるＣｏＳ設定）が、ＡＰの送信スケジューラコンポーネント３０に到着する。この場合、スケジューラは、各待ち行列が異なるタイプのサービスのデータパケットに指定されている、選択された数の個別待ち行列で構造化された送信待ち行列を有するのが望ましい。ＣｏＳを認識した例では、メモリデバイスは、それぞれ音声、ビデオ、インタラクティブデータおよび低優先度データに対するデータパケットをバッファする４つの個別待ち行列３２ａ−３２ｄで構成されるのが望ましい。図２において、データパケットは各待ち行列に適切に配布されるよう示され、データパケットの影の部分それぞれがそのＣｏＳを表す。
【００５６】
データパケットは処理入力３１経由で到着し、処理装置のタイムスタンプコンポーネント３３によって到着時刻をタイムスタンプされる。入力バッファ３４はタイムスタンプ要素３３に提供されるのが望ましい。処理装置の配布要素３５は、そのサービス要件に従ってそれぞれの優先度待ち行列３２ａ−３２ｄの１つの最後尾に、タイムスタンプされた各データパケットを入れる。音声データパケット３６は、配布要素３５によって音声サービス待ち行列３２ａの最後尾に入れられるとして示されている。
【００５７】
スケジューラ３０は、各待ち行列３２ａ−３２ｄの先頭で各パケットの優先度指標を計算する計算コンポーネント３７を含む。スケジューラ３０の配布出力３９は次いで、最も高い優先度指標値を有するパケットを送信のために送る。図２は、ビデオ待ち行列３２ｂの先頭にあるデータパケットが最高優先度を有すると判定され、配布出力３９がスケジューラ３０から、そのパケット３８を送信に向けることを示す。
【００５８】
図３を参照すると、未分類のトラフィック、即ち、サービス要件に従って分類されていないデータパケットが、ＡＰの送信スケジューラコンポーネント４０に到着する。この場合、スケジューラは個別待ち行列で構造化された送信待ち行列を有し、その個別待ち行列は、それぞれ異なるＳＴＡを宛先とするデータパケットに指定されているのが望ましい。このＣｏＳを認識しない例では、メモリデバイスは、個別待ち行列４２ａ、４２ｂ、４２ｃ、・・・４２ｎで構成され、ＡＰがデータを送信するＳＴＡ、ＳＴＡ＿１、ＳＴＡ＿２、ＳＴＡ＿３、・・・ＳＴＡ＿ｎそれぞれに対するデータパケットをそれぞれバッファするのが望ましい。Ｃｏｓを認識しないシナリオにおいては、待ち行列の構造を常に調整し続け、データ通信を開始するＳＴＡｓに追加の待ち行列を提供し、データ通信を終えたＳＴＡｓのために待ち行列を削除することが望ましい。図３において、データパケットは各待ち行列内に適切に配布され、その各宛先ＳＴＡを表す数字でマーク付けして示されている。
【００５９】
データパケットは処理入力４１経由で到着し、処理装置のタイムスタンプコンポーネント４３によって到着時刻をタイムスタンプされる。入力バッファ４４はタイムスタンプ要素４３に提供されるのが望ましい。処理装置の配布要素４５は、それぞれの優先度待ち行列４２ａ、４２ｂ、４２ｃ、・・・４２ｎの１つの最後尾に、タイムスタンプされた各データパケットをその宛先に従って入れる。データパケット４６は、配布要素４５によってＳＴＡ＿１の待ち行列４２ａの最後尾に入れられるとして示されている。
【００６０】
スケジューラ４０は、各待ち行列４２ａ、４２ｂ、４２ｃ、・・・４２ｎの先頭で各パケットの優先度指標を計算する計算コンポーネント４７を含む。スケジューラ４０の配布出力４９は次いで、最も高い優先度指標値を有するパケットを送信のため送る。図３は、ＳＴＡ＿３の待ち行列４２ｃの先頭にあるデータパケットが最高優先度を有すると判定され、配布出力４９がスケジューラ４０からのパケット４８を送信に向けることを示す。
【００６１】
計算コンポーネント３７、４７は各データパケットに対する優先度指標を、データ速度および待ち時間に部分的に基づいて計算することが望ましい。標準的な速度制御アルゴリズムを使用してデータ速度を判定するのが望ましい。待ち行列内の各パケットに対する待ち時間は、スタンプされた到着時刻を引いた現在の時間値に基づいて判定されるのが望ましい。
【００６２】
優先度指標計算の２つの望ましい変形が、以下の式で与えられる。
優先度指標＝［α×データ速度指標］＋［（１−α）×遅延指標］
または
優先度指標＝α×データ速度指標×遅延指標
ここで、αは特定のクラスに対してより高い優先度を与えるための重みファクターであり、
【００６３】
【数１】
2007511958.tif 000005
【００６４】
、および
【００６５】
【数２】
2007511958.tif 000006
【００６６】
である。
【００６７】
重みファクターαを優先度待ち行列毎に異なるよう設定し、あるクラスまたはあるＳＴＡに対して他よりも高い優先度を与えることができる。重みファクターαを０または小さな数に設定し、最大容量を達成することができる。重みファクターαを１より大きな値に設定し、最高のＱｏＳ性能を達成することができる。
【００６８】
現在の送信データ速度は、ＡＰがその時点でデータ送信に使用している速度である。最大データ速度は、システムが指定した最大速度である。例えば８０２．１１ｂでは、上の表１に示すように１１Ｍｂｐｓである。
【００６９】
Ｔの最大値は、許容される最大待ち行列長である。ＣｏＳを認識するシナリオの場合、Ｔの最大値は優先度待ち行列単位で設定できる。例えば、図２の例に示される待ち行列３２ａ−ｄでは、音声待ち行列３２ａに対するＴの最大値は５から１０ミリ秒の範囲に設定されるのが望ましく；ビデオ待ち行列３２ｂに対するＴの最大値は１０から１００ミリ秒の範囲に設定されるのが望ましく;インタラクティブデータ待ち行列３２ｃに対するＴの最大値は１００ミリ秒から１秒の範囲に設定されるのが望ましく；低優先度待ち行列３２ｄに対するＴの最大値は１秒より大きい値に設定されるのが望ましい。図３のＣｏＳを認識しないシナリオの場合、ＡＰはＴの最大値に対して１つの値を有し、システム全体における最大遅延を制限することが望ましい。
【００７０】
幾つかの場合において、ＡＰは、異なる時に異なるデータ速度集合をサポートするよう動的に構成されてもよい。これらの例において、ＣｏＳを認識するスケジューラの待ち行列配分は、ＡＰで現在有効なデータ速度集合に従って動的に調整されてもよい。例えば、８０２．１１ｂ／８０２．１１ｇの混合システムは、８０２．１１ｂのデータ速度のみをサポートするモードで動作すること、および８０２．１１ｇデータ速度のより包含的な集合をサポートするモードで動作することから動的に選択するようＡＰを構成してもよい。ＡＰはこれら２つのモード間で切り替えることができ、現在どの速度がサポートされるかを通知できることが望ましい。
【００７１】
表３および表４から分かるように、１２Ｍｂｐｓまたはそれよりも低い速度に対して、８０２．１１ｇの速度または８０２．１１ｂの速度のどちらかを同じ環境に対して選択できる。選択された速度は、８０２．１１ｂおよび８０２．１１ｇの装置間でフェアネス（fairness）を可能にし、利用可能なスループットを最大化するために選択されることが望ましい。フェアネスは既存のインストールされた８０２．１１ｂ装置の局があるところで重要であり、８０２．１１ｇの導入が８０２．１１ｂの性能を著しく低下させないことが望まれる。
【００７２】
フェアネスを重視してより遅い８０２．１１ｂの速度を８０２．１１ｇの速度より多く使用する決定は、純粋な８０２．１１ｂ装置の数、８０２．１１ｇ装置の数、およびこれらの装置の信号品質に応じてなされることが望ましい。例えば、全てが１２Ｍｂｐｓ以下で動作する１０個の８０２．１１ｇ装置と、１つのみの８０２．１１ｂ装置がある場合、チャネルのスループットは８０２．１１ｂ装置の性能劣化を超えて増加する。５４Ｍｂｐｓの性能で動作可能な装置がある場合、システムを８０２．１１ｂモードで排他的に動作させるのは有利ではない。
【００７３】
下の表３および表４は、８０２．１１ｂおよび８０２．１１ｇに対する速度、利用可能なスループット、および１５００バイトのパケットを送信するのに要する時間を示す。
【００７４】
【表３】
2007511958.tif 000007
【００７５】
【表４】
2007511958.tif 000008
【００７６】
表４を参照すると、システムが８０２．１１ｇ装置のみを有する場合、利用可能スループットは４番目の列に示される。８０２．１１ｂ装置が存在すると、利用可能スループットは落ち、５番目の列に示される。
【００７７】
上の受信機感度の例に基づき、自由空間経路損失モデルを使用して、スループット対範囲の曲線の例が図４に示されている。図４から、受信機と送信機間の距離が小さくなればなるほど、有効スループットが高くなることが分かる。図４はさらに、８０２．１１ｇの速度が、８０２．１１ｂ装置と比較して同じ範囲に対してより大きなスループットを提供することを示す。図示されているように、距離が約２５０メートルに近づくにつれて、スループットは一点に集まる。異なる受信機感度を有するシステムについては、その範囲は異なる。
【００７８】
図５は、ＡＰおよび２つの８０２．１１ｂクライアント、即ちＳＴＡｓ、ＳＴＡ１、ＳＴＡ２から構成されるシステムを示し、等しいアクセスを反映するＳＴＡのデータパケット送信を示す。各ＳＴＡ（即ち、ＳＴＡ１およびＳＴＡ２）の送信に、ＡＰからの肯定応答（ＡＣＫ）フレームが続く。
【００７９】
図６は図５と同じシステムを示すが、８０２．１１ｂ装置の１つ、ＳＴＡ２が８０２．１１ｇ装置に置き換わっている。図６は等しくないアクセスを反映するＳＴＡｓのデータパケット送信を示し、ＳＴＡ２の８０２．１１ｇ装置が２倍のアクセスを有する。各ＳＴＡ（即ち、ＳＴＡ１およびＳＴＡ２）の送信に、ＡＰからの肯定応答（ＡＣＫ）フレームが続く。ＳＴＡ２の送信に、送信クリア（ＣＴＳ）フレームが先行する。これは、共存のために必要である。
【００８０】
図５に対するＳＴＡ１およびＳＴＡ２のスループットは、両方のＳＴＡｓが１１Ｍｂｐｓの例で動作する８０２．１１ｂの局であるとき、以下のように計算できる。  
スループット＝（サイクル毎の送信データ）／（サイクル毎の時間）
＝（２＊１５００バイト）／（２＊１６１５マイクロ秒）
＝７．４Ｍｂｐｓのチャネルスループット（即ち、各ＳＴＡに対し３．７１
Ｍｂｐｓ）
【００８１】
ＳＴＡ２が１２Ｍｂｐｓで動作する８０２．１１ｇ装置として機能する図６の例について、スループットの計算は、
スループット＝（サイクル毎の送信データ）／（サイクル毎の時間）
＝（１５００＋２＊１５００バイト）／（１６１５＋２＊１４０１マイクロ
秒）
＝８．１５Ｍｂｐｓのチャネルスループット（即ち、８０２．１１ｂのＳＴ
Ａ１に対し２．７２Ｍｂｐｓ、８０２．１１ｇのＳＴＡ２に対し５．４３
Ｍｂｐｓ）
図６に反映されるように、８０２．１１ｇの装置ＳＴＡ２は、平均して２倍のアクセス機会を得る。チャネルスループットは７．４から８．１５Ｍｂｐｓ（１０％）に増加したが、８０２．１１ｂの装置に対するスループットは２７％減少した。
【００８２】
同様に、５．５Ｍｂｐｓで動作する２つの８０２．１１ｂの装置について、スループットは、
スループット＝（サイクル毎の送信データ）／（サイクル毎の時間）
＝（２＊１５００バイト）／（２＊２７３１マイクロ秒）
＝４．４Ｍｂｐｓのチャネルスループット（即ち、各ＳＴＡに対し２．２Ｍ
ｂｐｓ）
【００８３】
比較して、５．５Ｍｂｐｓで動作する８０２．１１ｂの装置と、６Ｍｂｐｓで動作する８０２．１１ｇの装置について、スループットは、
スループット＝（サイクル毎の送信データ）／（サイクル毎の時間）
＝（１５００＋２＊１５００バイト）／（２７３１＋２＊２４３０マイクロ
秒）
＝４．８Ｍｂｐｓのチャネルスループット（即ち、８０２．１１ｂのＳＴＡ
１に対し１．６Ｍｂｐｓ、８０２．１１ｇのＳＴＡ２に対し３．２Ｍｂｐ
ｓ）
この後者の比較において、チャネルスループットは４．４から４．８Ｍｂｐｓ（９％）に
増加するが、８０２．１１ｂに対するスループットの減少は２７％である。
【００８４】
これらの２つの比較において、８０２．１１ｂのモードではなく８０２．１１ｇのモードをＳＴＡ２に使用するとき、チャネルスループットが増加し、８０２．１１ｂ装置の性能が著しく減少することが分かる。
【００８５】
さらなる比較の例は、例えば高干渉のため、チャネルの品質が極度に悪い結果、１Ｍｂｐｓの速度が選択されるときのフェアネスの欠如を示す。普通は、ＡＰは８０２．１１ｇの速度をサポートするとＡＰが通知する限り、８０２．１１ｂの速度で動作するときでも、８０２．１１ｇの装置はより小さいコンテンションウィンドウを使用する。
【００８６】
一方が１１Ｍｂｐｓで動作し、他方が１Ｍｂｐｓで動作する２つの８０２．１１ｂの装置について、スループットは、
スループット＝（サイクル毎の送信データ）／（サイクル毎の時間）
＝（２＊１５００バイト）／（１６１５＋１２８２８マイクロ秒）
＝１．６６Ｍｂｐｓのチャネルスループット（即ち、各ＳＴＡに対し０．８
３Ｍｂｐｓ）
【００８７】
比較して、１１Ｍｂｐｓで動作する８０２．１１ｂの装置と、１Ｍｂｐｓで動作する８０２．１１ｇの装置について、スループットは、
スループット＝（サイクル毎の送信データ）／（サイクル毎の時間）
＝（１５００＋２＊１５００バイト）／（１６１５＋２＊１２８２８マイク
ロ秒）
＝１．３２Ｍｂｐｓのチャネルスループット（即ち、８０２．１１ｂのＳＴ
Ａ１に対し０．４４Ｍｂｐｓ、８０２．１１ｇのＳＴＡ２に対し０．８９
Ｍｂｐｓ）
【００８８】
この３番目の比較において、８０２．１１ｂの装置のスループットは５３％減少し、さらに、より遅い８０２．１１ｇの装置がチャネルをより長い時間占有するので、チャネルスループットが減少する。
【００８９】
図７は、ＡＰのプロセッサによって実装でき、ＡＰ送信機経由で通知される速度を判定する手順を示す。一般的に、全てが８０２．１１ｇである装置をシステムが有するか、またはフレーム誤り率（ＦＥＲ）が所与の閾値を下回るとき、全ての速度がサポートされる。システムが８０２．１１ｂの装置のみを有するとき、８０２．１１ｇの装置が高速度で（即ち、８０２．１１ｂの装置の範囲を超える速度で）動作し始める場合、８０２．１１ｇの速度のサポートを通知することがなお重要である。フレーム誤り率（ＦＥＲ）が所与の閾値を下回るとき、これはチャネルの品質が良いことを意味するが、可能ならば、８０２．１１ｇの装置がより高い速度を使うことを禁止するべきではない。
【００９０】
図７に示す望ましいプロセスでは、ＳＴＡｓ数またはＦＥＲの変化を検出すると、ステップＳ１でプロセスが開始される。ステップＳ２で、変数ｍおよびｎが、ＡＰと通信する８０２．１１ｂおよび８０２．１１ｇのＳＴＡｓ数をそれぞれ割り当てられる。ステップＳ３で、全てのＳＴＡｓが８０２．１１ｇ、即ち、８０２．１１ｂのＳＴＡｓがなく、ｍ＝０であるか否か、またはＦＥＲが選択された閾値Ｈｉｇｈ＿Ｔｈｒｅｓを下回るか否かが判定される。いずれかが当てはまる場合、ステップＳ４で、全ての速度がサポートされ、ステップＳ５でプロセスが終了する。
【００９１】
いずれも当てはまらない場合、ステップＳ６で、１２Ｍｂｐｓを超える速度を使用する８０２．１１ｇの装置をシステムが有するか否かが判定される。その装置を有さない場合、ステップＳ４で、８０２．１１ｇおよび８０２．１１ｂの装置の両方の速度がサポートされる。８０２．１１ｂの装置が存在し、全ての８０２．１１ｇの装置が１２Ｍｂｐｓ以下で動作しているとき、Ｓ６で、（例えば、高干渉環境のため）、８０２．１１ｇのモードのサポートを削除するか否かに関する決定が、８０２．１１ｂの装置（ｍ）および８０２．１１ｇの装置（ｎ）の相対数をステップＳ７、Ｓ８で確認することによって、判定される。その比率は、ステップＳ７で計算され、ステップＳ８で判定される。ｍ／ｎが所与の閾値より小さいとき、８０２．１１ｇの速度はステップＳ９で無効となり、プロセスはステップＳ１０で終了する。８０２．１１ｂの８０２．１１ｇに対する比（ｍ／ｎ）が閾値より大きいとき、８０２．１１ｇおよび８０２．１１ｂの速度の両方がステップＳ４でサポートされる。
【００９２】
この方法は、例えば干渉が高いシステムなど、高い変調速度が使用されない状態、または全ての装置がＡＰから遠い距離に位置する状態に特に適用可能である。
【００９３】
８０２．１１ｇの導入に際して、既存の８０２．１１ｂの装置に対する後方互換性を保証するために取られる望ましい手段には、以下のようなものがある。
・８０２．１１ｂのクライアント装置（ＳＴＡ）が存在するとき、任意の送信の前に、全ての８０２．１１ｇ装置が８０２．１１ｂ装置に近々の送信を知らせる。これは送信クリアフレームを送信すること（自身へのＣＴＳ）で達成される。この追加的なＣＴＳフレームにより、８０２．１１ｇに対する有効スループットの減少という効果がある（表４の列４および５を参照）。
・無線チャネルへのアクセスの点で、全ての既存の８０２．１１システムは、送信を試みる時期を判定するためにランダムなバックオフタイマを使用するのが望ましい。ランダムな数字は、８０２．１１ｂに対して０から３１の間、８０２．１１ｇに対して０から１５の間であるよう選択されることが望ましい。８０２．１１ｂおよび８０２．１１ｇに対するバックオフ値の範囲に差がある理由は、より高い速度で動作すると考えられる８０２．１１ｇの装置に、チャネルにアクセスするより高い確率を与えて、チャネルをより有効に使用するためである。これにより、８０２．１１ｇ装置が８０２．１１ｂ装置の２倍の送信機会を通常得るという効果がある。ＡＰは８０２．１１ｇの速度をサポートするとＡＰが通知する限り、８０２．１１ｂの速度で動作するときでも、８０２．１１ｇ装置は、常により小さいコンテンションウィンドウを使用する。
【００９４】
ワイヤレス送受信ユニットのスケジューラのコンポーネントは、特定用途向け集積回路（ＡＳＩＣ）等の、単一集積回路上に実装されることが望ましい。同様に、速度通知ワイヤレス送受信ユニットの受信ユニット、信号処理ユニットおよび送信ユニットはＡＳＩＣ上に実装できる。しかしながら、いずれの場合も、コンポーネントは複数の別個の集積回路上に容易に実装することもできる。
【００９５】
これまでの記述において、８０２．１１タイプのシステムを一例として参照したのであり、限定のためではない。本発明に矛盾しない他の変形および変更は、その分野の当業者によって理解されるであろう。
【図面の簡単な説明】
【００９６】
【図１】ＷＬＡＮ通信を示すシステム総括図である。
【図２】“サービスのクラス”ベースで配分された待ち行列を有するＡＰの“サービスのクラス”を認識したスケジューラ、に対する待ち行列システムの概略図である。
【図３】ＳＴＡベースで配分された待ち行列を有するＡＰの“サービスのクラス”を認識しないスケジューラ、に対する待ち行列システムの概略図である。
【図４】自由空間経路損失モデルに対する、８０２．１１ｂと８０２．１１ｇの装置を比較する効果的スループット対距離のプロットである。
【図５】８０２．１１ｂ／８０２．１１ｇ互換のＡＰと通信する８０２．１１ｂのＳＴＡｓから成るＷＬＡＮを、データ送信シーケンスの例を伴って示す図である。
【図６】８０２．１１ｂ／８０２．１１ｇ互換のＡＰと通信する８０２．１１ｂのＳＴＡと８０２．１１ｇのＳＴＡとから成るＷＬＡＮを、データ送信シーケンスの例を伴って示す図である。
【図７】８０２．１１ｂおよび８０２．１１ｇのＳＴＡｓの数と、これらの装置の信号品質およびフェアネスに基づいて、ビット送信速度（単数または複数）を選択する方法のステップを示すフロー図である。
【図１】
2007511958.tif 000009
【図２】
2007511958.tif 000010
【図３】
2007511958.tif 000011
【図４】
2007511958.tif 000012
【図５】
2007511958.tif 000013
【図６】
2007511958.tif 000014
【図７】
2007511958.tif 000015
【国際調査報告】
2007511958.tif 000016
2007511958.tif 000017